(57)【要約】【課題】  特殊撮像モードの録画開始前に、被写体を確認しやすくする。【解決手段】  特殊撮影モードが選択されると、ＣＰＵ５０は、選択された特殊再生モードに応じた録画待機用パラメータを絞り１４、シャッタ１６及びカメラ信号処理装置２８に設定する。録画ボタン５２が押下されると、ＣＰＵ５０は、選択された特殊撮影モードに応じた録画用パラメータを絞り１４、シャッタ１６及びカメラ信号処理装置２８に設定し、録画を開始する。停止ボタン５４の押下により、録画を終了し、ＣＰＵ５０は、選択された特殊再生モードに応じた録画待機用パラメータを絞り１４、シャッタ１６、カメラ信号処理装置２８及び表示制御装置３８に設定する。【選択図】  図１
2007288541.tif 000002
【特許請求の範囲】
【請求項１】
光学像を画像信号に変換する撮像手段（１８）と、
当該撮像手段の出力画像信号の画質を調整するカメラ信号処理手段（２８）と、
当該カメラ信号処理手段の出力画像信号を記録媒体（３４）に記録する記録手段（３０，３２）と、
当該カメラ信号処理手段の出力画像信号を表示する表示手段（３８，４０）と、
撮影モードを選択するモード選択手段（５８）と、
録画開始前に録画待機用露出制御パラメータを当該撮像手段に設定し、録画中には、当該モード選択手段で選択される撮影モードに応じた録画用露出制御パラメータを当該撮像手段に設定する制御手段（５０）
とを具備することを特徴とする撮像装置。
【請求項２】
当該制御手段は、録画開始前に録画待機用画質パラメータを当該カメラ信号処理手段に設定し、録画中には、当該モード選択手段で選択される撮影モードに応じた録画用画質パラメータを当該カメラ信号処理手段に設定することを特徴とする請求項１に記載の撮像装置。
【請求項３】
当該制御手段は、録画開始前に録画待機用表示制御パラメータを当該表示手段に設定し、録画中には、当該モード選択手段で選択される撮影モードに応じた録画用表示制御パラメータを当該表示手段に設定することを特徴とする請求項１又は２に記載の撮像装置。
【請求項４】
光学像を画像信号に変換する撮像手段（１８）と、
当該撮像手段の出力画像信号の画質を調整するカメラ信号処理手段（２８）と、
当該カメラ信号処理手段の出力画像信号を記録媒体（３４）に記録する記録手段（３０，３２）と、
当該カメラ信号処理手段の出力画像信号を表示する表示手段（３８，４０）と、
撮影モードを選択するモード選択手段（５８）
とを具備する撮像装置を制御する方法であって、
録画開始前に録画待機用露出制御パラメータを当該撮像手段に設定し、
録画中には、当該モード選択手段で選択される撮影モードに応じた録画用露出制御パラメータを当該撮像手段に設定する
ことを特徴とする撮像装置の制御方法。
【請求項５】
更に、
録画開始前に録画待機用画質パラメータを当該カメラ信号処理手段に設定し、
録画中には、当該モード選択手段で選択される撮影モードに応じた録画用画質パラメータを当該カメラ信号処理手段に設定する
ことを特徴とする請求項４に記載の撮像装置の制御方法。
【請求項６】
更に、
録画開始前に録画待機用表示制御パラメータを当該表示手段に設定し、
録画中には、当該モード選択手段で選択される撮影モードに応じた録画用表示制御パラメータを当該表示手段に設定する
ことを特徴とする請求項４又は５に記載の撮像装置の制御方法。
【発明の詳細な説明】
【技術分野】
【０００１】
本発明は、撮像装置及びその制御方法に関する。
【背景技術】
【０００２】
近年のデジタルビデオカメラでは、特殊な撮影場所や目的に合わせた撮影モード、即ち、特殊撮影モードが選択できるようになっている（例えば、特許文献１）。特殊撮影モードには、例えば、新緑／紅葉モード、スノーモード、ビーチモード、夕焼けモード、スポットライトモード及び打ち上げ花火モード等がある。これらの特殊撮影モードでは、メモリに格納されているＡＥプログラムに基づき、絞り数値（Ｆ値）、シャッタースピード（秒）、ゲイン及びズーム等の撮影パラメータを、それぞれのモードに応じた設定値に固定する。
【０００３】
また、絞り数値又はシャッタースピードのいずれか一方を優先固定させることで、撮影画像をぼかしたり、あるいは被写体をぶれるようにしたりと、様々な撮影も行うことができる。
【０００４】
一方、上記のような露出制御だけでなく、ガンマ値又はアパーチャ等の画像パラメータを特定のシーンに合った値に事前設定することで、シーンに見合った明るさ、コントラスト、色の濃さ又は色合い等の画像を得ることができる。
【特許文献１】特開２００２−０９４８５５号公報
【発明の開示】
【発明が解決しようとする課題】
【０００５】
しかし、従来の撮像装置にあっては、特殊撮影モードの選択時には、選択された特殊撮影モードに対して予め設定されている値に、絞り数値、シャッタースピード及びゲイン等の撮影パラメータを固定するので、撮影時に、ファインダ代わりになる液晶表示パネルに被写体を明瞭に表示されないといったことがあった。
【０００６】
例えば、打ち上げ花火の撮影に適した打ち上げ花火モードはでは、シャッタ速度が１／６０秒、絞りは開放、ゲインは０ｄＢに設定される。花火が上がるまでは、周囲は真っ暗であり、撮像装置の液晶表示パネルには何も表示されず、ユーザは、液晶表示パネルの画面を見ても、撮像装置がどの範囲に向いているかも確認できない。
【０００７】
他の特殊撮影モードでも、撮影パラメータが固定されることにより、撮影対象又は撮影範囲を確認しづらくなることがある。
【０００８】
そこで、本発明は、特殊撮影モード中でも撮影対象又は撮影範囲を容易に確認できる撮像装置及びその制御方法を提示することを目的とする。
【課題を解決するための手段】
【０００９】
上記の目的の達成するために、本発明に係る撮像装置は、光学像を画像信号に変換する撮像手段と、当該撮像手段の出力画像信号の画質を調整するカメラ信号処理手段と、当該カメラ信号処理手段の出力画像信号を記録媒体に記録する記録手段と、当該カメラ信号処理手段の出力画像信号を表示する表示手段と、撮影モードを選択するモード選択手段と、録画開始前に録画待機用露出制御パラメータを当該撮像手段に設定し、録画中には、当該モード選択手段で選択される撮影モードに応じた録画用露出制御パラメータを当該撮像手段に設定する制御手段とを具備することを特徴とする。
【００１０】
本発明に係る撮像装置の制御方法は、光学像を画像信号に変換する撮像手段と、当該撮像手段の出力画像信号の画質を調整するカメラ信号処理手段と、当該カメラ信号処理手段の出力画像信号を記録媒体に記録する記録手段と、当該カメラ信号処理手段の出力画像信号を表示する表示手段と、撮影モードを選択するモード選択手段とを具備する撮像装置を制御する方法であって、録画開始前に録画待機用露出制御パラメータを当該撮像手段に設定し、録画中には、当該モード選択手段で選択される撮影モードに応じた録画用露出制御パラメータを当該撮像手段に設定することを特徴とする。
【発明の効果】
【００１１】
本発明によれば、録画開始前に、録画中とは異なる露出制御パラメータを使用するので、被写体の様子、位置及び構図等を確認しやすくなる。
【発明を実施するための最良の形態】
【００１２】
以下、図面を参照して、本発明の実施例を詳細に説明する。
【実施例１】
【００１３】
図１は、本発明の一実施例に係る撮像装置の概略構成ブロック図である。図１において、撮像装置１０は、デジタルカメラ、デジタルビデオカメラ又はカムコーダ等である。ただし、実線は画像データの流れを示し、破線は制御信号を示す。
【００１４】
撮像装置１０は、レンズ１２、絞り１４、シャッタ１６、撮像素子１８、ＣＤＳ（２重相関サンプリング）回路２０、タイミング発生回路（ＴＧ）２２、自動利得制御回路（ＡＧＣ）２４、Ａ／Ｄ変換器２６、カメラ信号処理装置２８、圧縮装置３０、記録再生装置３２、記録媒体３４、伸長装置３６、表示制御装置３８、液晶表示パネル（ＬＣＤ）４０及び輝度レベル検出装置４２を具備する。
【００１５】
また、制御及び操作のために、撮像装置１０は、主制御装置としての中央処理回路（ＣＰＵ）５０、録画ボタン５２、停止ボタン５４、レリーズスイッチ５６、モードダイヤル５８及びメモリ６０も具備する。
【００１６】
ＣＰＵ５０は、メモリ６０に格納されているＡＥプログラムに基づき絞り１４の開度を制御し、シャッタ１６のスピードを制御する。すなわち、絞り１４及びシャッタ１６を用いて、露光量が制御される。
【００１７】
撮像素子１８は、ＣＣＤ（Ｃｈａｒｇｅ  Ｃｏｕｐｌｅｄ  Ｄｅｖｉｃｅｓ）センサ又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等からなり、レンズ１２からの光学像を電気信号に変換する。
【００１８】
ＣＤＳ回路２０は、相関二重サンプリング（ＣＤＳ）により撮像素子１８から出力される画像信号のノイズ成分を取り除く。ＴＧ２２は、各種タイミング信号及び制御波形等を発生し、撮像素子１８及びＣＤＳ回路等に供給する。ＡＧＣ回路２４は、ノイズ除去後の画像信号を増幅する。
【００１９】
Ａ／Ｄ変換器２６はマトリクス回路を具備し、ＡＧＣ回路２４からの画像信号を所定形式、例えば、Ｙ（輝度信号）／Ｃｒ，Ｃｂ（色差信号）形式のデジタル画像信号に変換する。Ａ／Ｄ変換器２６から出力されるデジタル画像信号は、カメラ信号処理装置２８と輝度レベル検出装置４２に供給される。
【００２０】
カメラ信号処理装置２８は、ＣＰＵ５０からの画質パラメータに従い、Ａ／Ｄ変換器２６から出力されるデジタル画像信号にガンマ補正、アパーチャ補正及びノイズリダクションのカメラ信号処理を施す。カメラ信号処理装置２８は、処理済みの画像データを圧縮装置３０及び表示制御装置３８に供給する。また、カメラ信号処理装置２８から表示制御装置３８に出力される画像信号は、いわゆるカメラ画像信号である。表示制御装置３８は、カメラ信号処理装置２８からのカメラ画像信号に従い、ＬＣＤ４０を駆動する。これにより、撮像素子１８に入射する光学像が、ＬＣＤ４０の画面上に表示される。
【００２１】
圧縮装置３０は、ＭＰＥＧ２、Ｍｏｔｉｏｎ  ＪＰＥＧ又はＪＰＥＧ２０００等の画像圧縮方式でカメラ信号処理装置２８からの画像信号を圧縮符号化する。
【００２２】
記録再生装置３２は、圧縮装置３０からの圧縮画像データを記録媒体３４に記録し、記録媒体３４に記録される圧縮画像データを再生する。記録媒体３４は、ハードディスク、光ディスク、光磁気ディスク、磁気テープ又は不揮発性のメモリカード等である。
【００２３】
伸長装置３６は、記録再生装置３２からの再生された圧縮画像データを伸長する。また、伸長装置３６から出力される画像信号はいわゆる再生画像信号であり、表示制御装置３８は、この再生画像信号に従いＬＣＤ４０を駆動する。これにより、再生画像がＬＣＤ４０の画面上に表示される。
【００２４】
表示制御装置３８はまた、ＣＰＵ５０からの表示制御パラメータ（Ｓ）に従い、カメラ画像信号の画像パラメータ（明るさ、コントラスト、色の濃さ及び色合い）を補正して、ＬＣＤ４０を駆動する。
【００２５】
ＬＣＤ４０は、表示制御装置３８により駆動されて、カメラ画像信号（カメラ信号処理装置２８の出力画像信号）及び再生画像信号（伸長装置３６からの画像信号）を画像として表示する。
【００２６】
輝度レベル検出部４２は、Ａ／Ｄ変換器２６の出力信号から輝度信号（Ｙ）のレベルを検知し、ＣＰＵ５０に出力する。
【００２７】
録画ボタン５２は動画像撮像を開始するために使用され、停止ボタン５４は動画像撮像を停止するために使用される。レリーズスイッチ５６は、静止画像を撮影するために使用される。モードダイヤル５８は各種モードを選択するのに使用され、本実施例では撮像モード、記録モード、再生モード及び特殊シーンモードが選択できる。また、特殊シーンモードには、例えば、新緑／紅葉モード、スノーモード、ビーチモード、夕焼けモード、スポットライトモード及び打ち上げ花火モード等がある。
【００２８】
メモリ６０は、ＣＰＵ５０が実行する種々の制御プログラムを記憶し、各特殊撮影モードに対する露出制御パラメータ（絞り数値、シャッタスピード及びゲイン等）、画質パラメータ（ガンマ補正、アパーチャ補正及びノイズリダクション等）及び表示制御パラメータ（画像表示の明るさ、コントラスト、色の濃さ及び色合い等）を記憶する。
【００２９】
なお、図示していないが、撮像装置１０には、ズーム機構等も設けられている。
【００３０】
撮像装置１０の撮像、記録及び再生の基本動作を説明する。撮像モードでは、レンズ１２は被写体の光学像を撮像素子１８の撮像面上に結像する。ＣＰＵ５０は、録画待機用のパラメータ値に従い、絞り１４、シャッタ１６のスピード、カメラ信号処理装置２８及び表示制御装置３８を制御する。撮像素子１８は撮像面上の光学像に対応する被写体の画像信号を出力する。ＣＤＳ回路２０は、撮像素子１８からの画像信号のノイズを除去し、ＡＧＣ回路２４はＣＤＳ回路２０の出力画像信号を増幅する。Ａ／Ｄ変換器２６は、ＡＧＣ回路２４の出力画像信号をデジタル信号に変換し、所定信号形式でカメラ信号処理装置２８に印加する。カメラ信号処理装置２８は、Ａ／Ｄ変換器２６からの画像データに上述の補正処理を施し、出力する。表示制御装置３８は、カメラ信号処理装置２８の出力画像信号に従いＬＣＤ４０を駆動する。これにより、ユーザは、被写体の範囲と構図を確認できる。
【００３１】
記録モードでは、ＣＰＵ５０は、輝度レベル検出装置４２の検出結果及び撮影モードに従い、絞り１４及びシャッタスピードを制御し、撮影モードに応じた画質パラメータでカメラ信号処理装置２８を制御し、撮影モードに応じた表示制御パラメータで表示制御装置３８を制御する。圧縮装置３０は、カメラ信号処理装置２８からの画像データを圧縮符号化し、圧縮画像データを記録再生装置３２に転送する。記録再生装置３２は、圧縮画像データを記録媒体３４に記録する。このようにして、撮影された画像の圧縮画像データが記録媒体３４に格納される。
【００３２】
再生モードでは、記録再生装置３２は、記録媒体３４から指定の画像の圧縮画像データを読み出し、伸長装置３６に転送する。伸長装置３６は、記録再生装置３２からの圧縮画像データを伸長して画像データを復元する。復元された画像データは、表示制御装置３８を介してＬＣＤ４０に印加される。これにより、再生画像がＬＣＤ４０の画面に表示される。
【００３３】
図２を参照して、特殊撮影モードの動作を説明する。図２は、本実施例の特殊撮影モードの動作を示すフローチャートである。ただし、ここでは、特殊撮像モードとして打ち上げ花火モードが選択されるとする。
【００３４】
撮影者がモードダイヤル５８を回転させ、何れかの特殊撮影モード、ここでは打ち上げ花火モードを選択する。ＣＰＵ５０は、特殊撮影モードが選択されたか否かを判別する（Ｓ１０）。特殊撮影モードが選択されると（Ｓ１０）、ＣＰＵ５０は、選択された特殊再生モードに応じた録画待機用パラメータを絞り１４、シャッタ１６及びカメラ信号処理装置２８に設定する（Ｓ１１）。
【００３５】
例えば、打ち上げ花火モードでは、録画待機中は、通常、花火が上がっていない暗いシーンである。録画待機中であるので、画質はそれほど重視しなくてよい。そこで、本実施例では、録画待機中は、録画待機用パラメータとして、シャッタスピードを遅くし、ゲインを上げる。これにより、表示画像の明るさを確保でき、撮影前の画角設定などの操作が行いやすくなる。
【００３６】
選択された特殊撮影モードのままで（Ｓ１２）、録画ボタンが押下されると（Ｓ１３）、ＣＰＵ５０は、選択された特殊撮影モードに応じた録画用パラメータを絞り１４、シャッタ１６及びカメラ信号処理装置２８に設定し、録画を開始する（Ｓ１４）。
【００３７】
例えば、打ち上げ花火モードが選択されている場合、録画用パラメータを以下のようにする。即ち、ＣＰＵ５０は、露出制御パラメータとして、絞り１４を開放に、シャッタスピードを１／６０秒に、ゲインを０ｄＢに、フォーカスを無限遠固定に設定する。他に、カメラ信号処理装置２８に対する画質パラメータを撮影対象に応じたものに変更しても良い。
【００３８】
更には、録画中には、表示制御装置３８に対する表示制御パラメータを、撮影対象を確認しやすい値又は記録再生装置３２により記録される画像そのものを確認しやすい値に変更しても良い。
【００３９】
勿論、露光量を動的に制御する記録モードでは、ＣＰＵ５０は、輝度レベル検出回路４２の検出結果と設定された撮影モードに従い露出制御パラメータを動的に変更する。
【００４０】
停止ボタンの押下により（Ｓ１５）、録画を終了する（Ｓ１６）。そして、ステップＳ１１に戻り、ＣＰＵ５０は、選択された特殊再生モードに応じた録画待機用パラメータを絞り１４、シャッタ１６、カメラ信号処理装置２８及び表示制御装置３８に設定する（Ｓ１１）。
【００４１】
特殊撮影モードの選択が解除される（Ｓ１０，Ｓ１２）、ＣＰＵ５０は、オートモードのパラメータを絞り１４、シャッタ１６、カメラ信号処理装置２８及び表示制御装置３８に設定する（Ｓ１７）。
【００４２】
このように、本実施例では、録画の開始前には、被写体を確認しやすい制御パラメータで各部を制御し、録画開始後に録画用パラメータを採用するので、録画開始前に、被写体の構図等も確認しやすくなり、録画開始のタイミングを損なうことがなくなる。
【００４３】
また、録画待機中又は録画中であっても、表示用には、被写体を確認しやすい表示制御パラメータを利用することで、録画中にＬＣＤ４０の画面上で、被写体を追尾したり、被写体の変化を視覚的に確認することが容易になる。例えば、打ち上げ花火モードでは、録画中、ＬＣＤ４０の表示明るさを上げることが考えられる。勿論、録画中に、録画される画像そのものを表示することで、録画される被写体とその撮影条件（露出、シャッタスピード及びガンマ補正等の画質）をリアルタイムで確認しながら、録画を継続できる。
【図面の簡単な説明】
【００４４】
【図１】本発明の一実施例の概略構成ブロック図である。
【図２】本実施例の動作フローチャートである。
【符号の説明】
【００４５】
１０  撮像装置
１２  レンズ
１４  絞り
１６  シャッタ
１８  撮像素子
２０  ＣＤＳ回路
２２  タイミング発生回路（ＴＧ）
２４  自動利得制御回路（ＡＧＣ）
２６  Ａ／Ｄ変換器
２８  カメラ信号処理装置
３０  圧縮装置
３２  記録再生装置
３４  記録媒体
３６  伸長装置
３８  表示制御装置
４０  液晶表示パネル
４２  輝度レベル検出装置
５０  ＣＰＵ
５２  録画ボタン
５４  停止ボタン
５６  レリーズスイッチ
５８  モードダイヤル
６０  メモリ
【図１】
2007288541.tif 000003
【図２】
2007288541.tif 000004